(57)【要約】【課題】空気吸い込み口のフィルター着脱のカバーを小さくコンパクトで容易に着脱可能な構成とするとともに、大風量で埃の詰まりにくい長寿命の脱臭装置を提供することを目的とする。【解決手段】脱臭素子４へのゴミ詰まりを防止するプレフィルター１０のみを収納カバー１１に着脱自在に収納し、かつ収納カバー１１は、下部の爪１１ａを本体ケース１に差し込むことで開閉可能に設けられ、収納カバー１１を着脱することができるように構成したものである。これにより、プレフィルター１０のみを収納するため収納カバー１１が薄くコンパクトにすることができる。また、収納カバー１１はカバー下部の爪１１ａで差し込まれているため、開けた状態で上部に引き抜くだけで容易に着脱することができる構成となる。すなわち、汚れやすい収納カバー１１の掃除性を大幅に向上することができる。【選択図】図１
2005230043.tif 000002
【特許請求の範囲】
【請求項１】
空気の吸気口と、空気の吹出口をそれぞれ設けた本体ケースと、前記本体ケース内に設け、前記吸気口からの空気を通すことで空気中に含まれる臭気を除去する脱臭素子と、空気を前記吸気口から吸引し、前記吹出口から吹出して前記脱臭素子に還流させる送風機と、前記送風機を制御する制御部と、前記脱臭素子へのゴミ詰まりを防止するプレフィルターと、前記プレフィルターを着脱自在に収納し、かつ吸気口側に開閉自在に設けた収納カバーとを備え、前記収納カバーは下部の爪を前記本体ケースに差し込むことで開閉可能に設けられ、前記収納カバーを着脱することができるように構成した脱臭装置。
【請求項２】
収納カバーは開いた位置を決めるアームで本体ケースに固定され、前記アームは固定をはずすことができる構成とした請求項１に記載の脱臭装置。
【請求項３】
収納カバーが開いた位置に設定しても、自重で閉まるように支点である収納カバーの爪の位置を前に設定した請求項２に記載の脱臭装置。
【請求項４】
プレフィルターは、目の粗いフィルターと目の細かいフィルターで構成され、目の粗いフィルターを空気の吸い込み側に設けた請求項１〜３のいずれか１項に記載の脱臭装置。
【請求項５】
脱臭素子は、空気の通気方向を薄く構成したハニカム体とし、１インチ角当たりのセル数が２５０以下とした請求項１または４に記載の脱臭装置。
【請求項６】
送風機は、クロスフローファンを用いてなる請求項１〜６のいずれか１項に記載の脱臭装置。
【発明の詳細な説明】
【技術分野】
【０００１】
本発明は臭気を除去する脱臭装置に関するものである。
【背景技術】
【０００２】
従来、空気を吸引し一定の空間の空気清浄を行う空気清浄器は、本体の前面の開閉可能なカバーにスライド可能なフィルターが着脱可能に設けられており、このカバーは下部の水平な軸を回転中心として開閉可能に設けられている（例えば、特許文献１参照）。
【特許文献１】特開平１０−１７４８２５号公報
【発明の開示】
【発明が解決しようとする課題】
【０００３】
しかしながら、前記従来の構成では、カバーの内側には、粗フィルターのほか、集塵機能および脱臭機能を有するフィルターカートリッジをスライド可能に装着するものであり、粗フィルターの清掃もしくはフィルターカートリッジの交換時には、カバーを前傾位置にした上で該当するフィルターまたはフィルターカートリッジを上方に引き抜く構成となっている。したがって、粗フィルターのほか、集塵機能および脱臭機能を有するフィルターカートリッジをスライド可能にしているため、装着するカバーは大きく重くなる。また、下部の水平な軸を回転中心としてカバーを開閉可能に設ける構成では、軸を外さないとカバー自体の着脱は容易にできない。すなわち、埃が付着しやすく頻繁に開閉し掃除を行うカバーが、大きく重くなり、着脱し難い構成となっていた。
【０００４】
本発明は、前記従来の課題を解決するもので、空気吸い込み口のフィルター着脱のカバーを小さくコンパクトで容易に着脱可能な構成とするとともに、大風量で埃の詰まりにくい長寿命の脱臭装置を提供することにある。
【課題を解決するための手段】
【０００５】
前記従来の課題を解決するために、本発明の脱臭装置は、脱臭素子へのゴミ詰まりを防止するプレフィルターのみを収納カバーに着脱自在に収納し、かつ収納カバーは、下部の爪を本体ケースに差し込むことで開閉可能に設けられ、収納カバーを着脱することができるように構成したものである。
【０００６】
これにより、プレフィルターのみを収納するため収納カバーが薄くコンパクトにすることができる。また、収納カバーはカバー下部の爪で差し込まれているため、開けた状態で上部に引き抜くだけで容易に着脱することができる構成となる。すなわち、汚れやすい収納カバーの掃除性を大幅に向上することができる。
【発明の効果】
【０００７】
本発明の脱臭装置は、プレフィルターのみを収納する収納カバーが薄くコンパクトにすることができる。また、収納カバーは開けた上体で上部に引き抜くだけで容易に着脱することができる構成となる。すなわち、汚れやすい収納カバーの掃除性が大幅に向上することができる。
【発明を実施するための最良の形態】
【０００８】
第１の発明は、空気の吸気口と、空気の吹出口をそれぞれ設けた本体ケースと、前記本体ケース内に設け、前記吸気口からの空気を通すことで空気中に含まれる臭気を除去する脱臭素子と、空気を前記吸気口から吸引し、前記吹出口から吹出して前記脱臭素子に還流させる送風機と、前記送風機を制御する制御部と、前記脱臭素子へのゴミ詰まりを防止するプレフィルターと、前記プレフィルターを着脱自在に収納し、かつ吸気口側に開閉自在に設けた収納カバーとを備え、前記収納カバーは下部の爪を前記本体ケースに差し込むことで開閉可能に設けられ、前記収納カバーを着脱することができるように構成した脱臭装置とすることにより、プレフィルターのみを収納するため収納カバーが薄くコンパクトにすることができる。また、収納カバーはカバー下部の爪で差し込まれているため、開けた状態で上部に引き抜くだけで容易に着脱することができる構成となる。すなわち、汚れやすい収納カバーの掃除性を大幅に向上することができる。
【０００９】
第２の発明は、特に、第１の発明において、収納カバーは開いた位置を決めるアームで本体ケースに固定され、前記アームは固定をはずすことができる構成としたことにより、収納カバーがアームの一定の角度で固定されることにより、プレフィルターの着脱が容易になる。また、容易に固定をはずすことができる構成とすることで掃除性も損なうことのない構成とすることができる。
【００１０】
第３の発明は、特に、第２の発明において、収納カバーが開いた位置に設定しても、自重で閉まるように支点である収納カバーの爪の位置を前に設定したことにより、収納カバーはプレフィルターの交換時のみ開いた状態となり、手などによる支持を離した状態では閉まった状態となり、交換時に開いた状態のままで置いておかれることがない。したがって、内部にあるファン等の部品に容易に触れることなく安全にプレフィルターを交換することができる構成となる。
【００１１】
第４の発明は、特に、第１〜第３のいずれか１つの発明において、プレフィルターは、目の粗いフィルターと目の細かいフィルターで構成され、目の粗いフィルターを空気の吸い込み側に設けたことにより、目の荒いフィルターで比較的大きなゴミを、目の細かいフィルターで更に細かいゴミを取り除き、細かいフィルターのみでゴミの除去を行う場合に比べてフィルター寿命を大幅に向上させることができる。
【００１２】
第５の発明は、特に、第１または第４の発明において、脱臭素子は、空気の通気方向を薄く構成したハニカム体とし、１インチ角当たりのセル数が２５０以下としたことにより、プレフィルターで除去できないゴミを、脱臭素子を通過できるようにハニカム体の厚みを薄く、大きさをできるだけ大きく設定することで、脱臭素子へのゴミ詰まりのない、圧力損失の小さな長期間使用可能な脱臭装置とすることが可能となる。
【００１３】
第６の発明は、特に、第１〜第５のいずれか１つの発明において、送風機は、クロスフローファンを用いてなることにより、長寿命でありながら大風量で低騒音のコンパクトな脱臭装置とすることができる。
【００１４】
以下、本発明の実施の形態について、図面を参照しながら説明する。なお、この実施の形態によって本発明が限定されるものではない。
【００１５】
（実施の形態）
図１、図２は、本発明の実施の形態における脱臭装置を示すものである。
【００１６】
図に示すように、本体ケース１は、空気の吸気口２と空気の吹出口３を設けている。そして、本体ケース１は吸気口２から吸引した空気を通すことで空気中に含まれる臭気を除去するハニカム状の脱臭素子４と、空気を吸気口２から吸引し、吹出口３から吹出して空気を脱臭素子４に還流させる送風機５と、送風機等を制御する制御部６を備えて構成したものである。
【００１７】
脱臭素子４は、ハニカム状の多数のセルに空気を通すことで空気中に含まれる臭気を除去する空気通気方向の厚さを薄く形成した吸着素子の四角形のハニカム体で構成している。また、脱臭素子４は風路の圧力損失を少なくするため、１インチ角当たりのハニカム状のセル数を２５０以下としている。
【００１８】
送風機５は、モータ７を有するクロスフローファンで構成し、脱臭素子４の上流側に設けている。
【００１９】
プレフィルター１０は、吸気口２に設けて脱臭素子４への埃詰まりを防止するもので、目の粗いフィルター１０ａと目の細かいフィルター１０ｂとから成っており、吸気の上流側に目の粗いフィルター１０ａを設けている。また、収納カバー１１は、本体ケース１に下端部の爪１１ａを差し込んで軸とし、吸気口２に手前側へ開閉自在に装着している。また、両側にアーム１１ｂを設けており、開成時のカバーのストッパーとなっている。また、アーム１１ｂには外側に固定用の突起があり、本体ケース１に固定されている。左右の外側から内向きにアーム１１ｂを押すことで突起が外れて、収納カバー２が簡単に外れる構成となっている。プレフィルター１０は収納カバー１１に着脱自在に収納している。したがって、付着した埃を除去する時は、点線で示すように本体ケース１の手前側に収納カバー１１を開成してプレフィルター１０を取り出して行い、再生したプレフィルター１０を再び収納カバー１１に収納して収納カバー１１を閉成するものである。
【００２０】
脱臭装置の操作部１３は制御部６に接続し、本体ケース１の前面に臨ませている。なお、図中の矢印は脱臭時の空気の流れを示す。
【００２１】
次に、上記のように構成された脱臭装置の動作について説明する。操作部１３より運転信号が入力されると制御部６より入力に応じて予め設定したシーケンスに基づきモータ７に動作信号が送られる。
【００２２】
そして、モータ７の動作により回転した送風機５は、発生した空気中の臭気を、本体ケース１の吸気口２よりプレフィルター１０を通して吸気する。
【００２３】
吸気された臭気は、本体ケース１内の風路を通り脱臭素子４を通過し脱臭される。このとき脱臭素子４は、ハニカム状の吸着素子で構成され、かつ空気の通気方向に薄く構成し、１インチ当たりのセル数を２５０以下としているため、風路の圧力損失が少なく、クロスフローファンの送風機５により低騒音で大風量の吸気が行える。
【００２４】
さらに、脱臭装置のプレフィルター１０に埃が付着すると送風風量が低下し、脱臭能力の低下が起こる。そのために、プレフィルター１０には目の粗いフィルター１０ａと目の細かいフィルター１０ｂがあり、埃の粗さに応じて両フィルターに選択的に埃が付着し、埃による圧力損失の増加を抑えている。また、脱臭素子４のハニカム体を１インチ当たりのセル数を２５０以下としているため、プレフィルター１０を通過した埃が脱臭素子４に詰まることはほとんどなく、脱臭素子４の能力を長期に維持し、プレフィルターの簡単な掃除で大風量の脱臭性能を継続することができる。
【００２５】
以上のように本実施の形態によれば、次のような作用効果を得ることができる。
【００２６】
すなわち、空気の吸気口２と、空気の吹出口３をそれぞれ設けた本体ケース１と、前記本体ケース１内に設け、前記吸気口２からの空気を通すことで空気中に含まれる臭気を除去する脱臭素子４と、空気を前記吸気口２から吸引し、前記吹出口３から吹出して前記脱臭素子４に還流させる送風機５と、前記送風機５を制御する制御部６と、前記脱臭素子４へのゴミ詰まりを防止するプレフィルター１０と、前記プレフィルター１０を着脱自在に収納し、かつ吸気口２側に開閉自在に設けた収納カバー１１とを備え、前記収納カバー１１は下端部の爪１１ａを前記本体ケース１に差し込むことで開閉可能に設けられ、容易に前記収納カバー１１を着脱することができるように構成した脱臭装置とすることで、収納カバー１１にプレフィルター１０のみを収納することで収納カバー１１が薄くコンパクトにすることができ、収納カバー１１の下端部に爪１１ａを設けて支点とすることで、収納カバー１１の着脱が容易で、収納カバー１１の丸洗い等の大幅な掃除性の向上を図ることができる。
【００２７】
また、収納カバー１１は開いた位置を決めるアーム１１ｂで本体ケース１に固定され、前記アーム１１ｂは容易に固定をはずすことができる構成としている。収納カバー１１がアーム１１ｂの一定の角度で固定されることにより、プレフィルター１０の着脱が容易になる。また、容易に固定をはずすことができる構成とすることで掃除性も損なうことのない構成とすることができるものである。
【００２８】
また、収納カバー１１を、開の位置まで開いた状態にしても、自重で閉まるように支点である前記収納カバー下部の爪１１ａの位置を重心位置よりも手前に設定した。これにより、収納カバー１１はプレフィルター１０の交換時のみ開いた状態となり、手などによる支持を離すと閉まった状態となり、交換時に開いた状態のままで置いておかれることがない。これにより、内部にあるファン等の部品に容易に触れることなく安全にプレフィルター１０を交換することができる構成の脱臭装置とすることができる。
【００２９】
また、プレフィルター１０は、目の荒いフィルター１０ａと目の細かいフィルター１０ｂで構成され、目の粗いフィルター１０ａを空気の吸い込み側に設けて構成したもので、目の荒いフィルター１０ａで比較的大きなゴミを、目の細かいフィルター１０ｂで更に細かいゴミを取り除き、細かいフィルター１０ｂのみでゴミの除去を行う場合に比べてフィルター寿命を大幅に向上させることができ、圧力損失の小さな長寿命のフィルターとして脱臭装置の大風量化と長寿命化を行うことができる。
【００３０】
また、脱臭素子４は、空気の通気方向を薄く構成したハニカム体とし、１インチ角当たりのセル数が２５０以下としている。プレフィルター１０で除去できないゴミを、脱臭素子４を通過できるようにハニカム体の大きさを大きく設定することで、脱臭素子４へのゴミ詰まりがなく、圧力損失の小さな長期間使用可能な脱臭装置とすることが可能となる。
【００３１】
また、送風機５は、クロスフローファンを用いてなる脱臭装置としたもので、低圧力損失の小さなプレフィルターや脱臭材を用い、送風機５をクロスフローファンとすることで、長寿命でありながら大風量で低騒音のコンパクトな脱臭装置とすることができる。
【産業上の利用可能性】
【００３２】
以上のように、本発明にかかる脱臭装置は、プレフィルターのみを収納する収納カバーが薄くコンパクトにすることができる。また、収納カバーは開けた上体で上部に引き抜くだけで容易に着脱することができる構成となる。すなわち、汚れやすい収納カバーの掃除性が大幅に向上することができる。このため、各種の機器における脱臭装置としても有用である。
【図面の簡単な説明】
【００３３】
【図１】本発明の実施の形態における脱臭装置の概略断面図
【図２】同脱臭装置の要部を切欠した概略正面図
【符号の説明】
【００３４】
１  本体ケース
２  吸気口
３  吹出口
４  脱臭素子（吸着素子）
５  送風機
６  制御部
１０  プレフィルター
１１  収納カバー
【図１】
2005230043.tif 000003
【図２】
2005230043.tif 000004